(57)【要約】      （修正有）【課題】身生地に身生地より強い緊締力を有する上段布部と下段布部とを重ね合わせ、骨盤全体を包み込むように着圧を三段階に変化を付け、痛みが伴うことなく効果的に骨盤を押えることにより下腹部を整容し、腰回りと骨盤を矯正するとともに、着脱が容易で、かつ着用中のずれを防止する骨盤押さえガードルを提供する。【解決手段】着用者の腰回りを被覆可能に形成された身生地１と、該身生地の内側に重ね縫着された緊締力を有する上段布部２および下段布部３と、該身生地の下部に設けられた股下布部４を備えて骨盤押さえガードルを形成する。前記上段布部は着用者の下腹部より腰回りにかけて骨盤を上方から支持するように縫着され、前記下段布部は着用者の下腹部より臀部上方にかけて骨盤を下方から支持するように縫着されており、着用者の下腹部にあたる位置には上段布部と下段布部と身生地とによる重複部６が形成され、該重複部の両端部から背中にかけて身生地のみによる非重複部を形成する。【選択図】図１
0003171820.tif 000002
【実用新案登録請求の範囲】
【請求項１】
着用者の腰回りを被覆可能に形成された身生地と、該身生地の内側に重ね縫着された緊締力を有する上段布部および下段布部と、該身生地の下部に設けられた股下布部を備えた骨盤押さえガードルであって、前記上段布部は着用者の下腹部より腰回りにかけて骨盤を上方から支持するように縫着され、前記下段布部は着用者の下腹部より臀部上方にかけて骨盤を下方から支持するように縫着されており、着用者の下腹部にあたる位置には上段布部と下段布部と身生地とによる重複部が形成され、該重複部の両端部から背中にかけて身生地のみによる非重複部が形成されることを特徴とする骨盤押さえガードル。
【請求項２】
前記上段布部および下段布部は、ともに前記身生地より強い緊締力を有することを特徴とする請求項１に記載の骨盤押さえガードル。
【請求項３】
前記上段布部は下方へ突出する幅広部を有し、前記下段布部は上方へ突出する幅広部を有しており、上段布部は身生地の内側で身生地の上辺に沿って該幅広部を下方に突出する形で身生地に縫着され、下段布部は身生地の内側で身生地の下辺に沿って該幅広部を上方に突出する形で身生地に縫着され、前記上段布部の幅広部と前記下段布部の幅広部が身生地と重なり合うことにより前記重複部が形成されることを特徴とする請求項１または請求項２のいずれかに記載の骨盤押さえガードル。
【請求項４】
前記重複部の両端部から背中側にかけて、前記上段布部と前記下段布部の間隔が形成され、該間隔において上段布部と下段布部のいずれとも重なり合わずに身生地のみで構成される非重複部が形成されることを特徴とする請求項１ないし３のいずれか１項に記載の骨盤押さえガードル。
【請求項５】
前記身生地の上部にはウエストゴムが設けられていることを特徴とする請求項１ないし４のいずれか１項に記載の骨盤押さえガードル。
【請求項６】
前記身生地は伸縮性を有する生地で形成されることを特徴とする請求項１ないし５のいずれか１項に記載の骨盤押さえガードル。
【考案の詳細な説明】
【技術分野】
【０００１】
本考案は、着用時に違和感や窮屈感がなく、長時間着用可能な骨盤押さえ機能を有し、さらに着脱が容易な骨盤押さえガードルに関するものである。
【背景技術】
【０００２】
従来、骨盤の歪みやズレ、骨盤を支える筋肉の衰えによる腰痛、急に強い腰痛を起こすギックリ腰、椎間板ヘルニア等の予防、痛みの軽減を目的とする骨盤押さえベルト及びベルト付きガードルがある。例えば、特許文献１には、腰部に捲回される帯状の骨盤矯正片を設け、骨盤矯正片の先端部にそれぞれホック等の係脱手段を設けた矯正用ガードルが開示されている。また、特許文献２には、腹部に設けた締め付けベルトの後ろ側に臀部を囲む切り欠き部を形成して、この切り欠き部によってヒップアップ機能を持たせたパンテイガードルが開示されている。さらに、特許文献３には、ガードル前面に係脱手段を設けず、ガードルの身生地上に、身生地より伸縮性の強い帯状の布を、上部骨盤押さえ布と下部骨盤押さえ布との二本を用いて上部骨盤と下部骨盤をそれぞれ緊締するガードルが開示されている。
【０００３】
しかし、特許文献１のようにベルト部分を１枚仕立にした場合、着圧が均等にかかるため、効果的に骨盤を押さえ込むことができない。また、着圧を部分的に加減できないため
、着圧を全体的に弱くするか強くするほかなく、弱くすれば効果が薄れ、強くすれば痛みが生じ、長時間使用できない。また、特許文献２のようにベルト部分に切欠き部等を穿設し、着圧を変化させ、効果的に骨盤を押さえ込む機能の有するためには、特殊な伸縮生地の製造や穿設等の製造工程が必要となるなど、製造上の問題を有していた。
【０００４】
さらに、特許文献１あるいは２のタイプのベルト付きガードルは、ベルトの先端部はガードルに縫着されず遊離しており、その先端部にフック・ホックを取り付けてあり、着脱時や用を足す時にフック・ホックを係脱しなければならず、非常に面倒で手間を要する。その点、特許文献３のものは二本の緊締布をガードル上に縫着し、前身頃脇部から後身頃にかけて夫々上部骨盤と下部骨盤を延伸し押えているが、下腹部まで緊締布が延伸されていないため、ベルト付きに比べ骨盤押え効果が薄れる。
【先行技術文献】
【特許文献】
【０００５】
【特許文献１】特開平６−１７３１０１
【特許文献２】実用新案登録第３０７６９１０号
【特許文献３】実用新案登録第３１０２７４２号
【考案の概要】
【考案が解決しようとする課題】
【０００６】
そこで本考案は、身生地に身生地より強い緊締力を有する上段布部と下段布部とを重ね合わせ、骨盤全体を包み込むように着圧を三段階に変化を付け、痛みが伴うことなく効果的に骨盤を押えることにより下腹部の整容と、腰回り、骨盤の矯正を同時に且つ効果的に行うとともに、着用中のずれを防止し、さらに、着脱が容易な骨盤押さえガードルを提供することをその課題とするものである。
【課題を解決するための手段】
【０００７】
本考案は、上記課題を解決するものであり、着用者の腰回りを被覆可能に形成された身生地と、該身生地の内側に重ね縫着された緊締力を有する上段布部および下段布部と、該身生地の下部に設けられた股下布部を備えた骨盤押さえガードルであって、前記上段布部は着用者の下腹部より腰回りにかけて骨盤を上方から支持するように縫着され、前記下段布部は着用者の下腹部より臀部上方にかけて骨盤を下方から支持するように縫着されており、着用者の下腹部にあたる位置には上段布部と下段布部と身生地とによる重複部が形成され、該重複部の両端部から背中にかけて身生地のみによる非重複部が形成されることを特徴とする骨盤押さえガードルである。
【考案の効果】
【０００８】
本考案の骨盤押さえガードルは、身生地に身生地より強い緊締力を有する上段布部と下段布部とを重ね合わせることにより、骨盤全体を包みこみよう上段布部と下段布部で補整するとともに、最も気になる下腹部分を身生地と上段布部と下段布部の３重構造による重複部により強く引き締め、下腹部を整容することができる。また、全体がきつくなりすぎないように、背面に身生地のみからなる非重複部を設けることにより着圧に変化を付け、かつ着用中のずれを防止することができる。
【０００９】
また、本考案の骨盤押さえガードルは、ベルト部に相当する上段布部と下段布部が腰回りを被覆する筒状に形成されているため、着脱時や用を足す時にフック・ホックの係脱が不要であり、着脱が容易である。
【図面の簡単な説明】
【００１０】
【図１】本考案に係る骨盤押さえガードルの斜視図。
【図２】本考案に係る骨盤押さえガードルの正面図。
【図３】本考案に係る骨盤押さえガードルの上段布部の展開図。
【図４】本考案に係る骨盤押さえガードルの下段布部の展開図。
【考案を実施するための形態】
【００１１】
以下、本考案の骨盤押さえガードルの一実施態様を、図面に基づいて具体的に説明する。なお、本考案はこれら実施態様に何ら制約されるものではない。
【００１２】
図１は本考案に係る骨盤押さえガードルの正面図、図２は同背面図である。図中、１は身生地、２は上段布部、３は下段布部、４は股下布部、５はウエストゴム、６は重複部、７は非重複部、８は縫着部、２１は幅広部、３１は幅広部をそれぞれ示す。
【００１３】
図１に示すように、本考案にかかる骨盤押さえガードルは、腰部を被覆する身生地１と
、その身生地１に重ね合わされて縫着された上段布部２および下段布部３と、身生地１の下部に縫着された股下布部４、さらに、身生地１の上部に縫着されたウエストゴム５とからなる。
【００１４】
以下、各部について詳述する。身生地１は、着用者の腰回りを被覆することができる帯状に形成され、背中側の縫着部８において縫着されている。身生地１は、伸縮性を有する生地で形成することが好ましく、例えば、装飾性を有するストレッチレース生地等を好適に使用することができる。
【００１５】
図３および４は、上段布部２および下段布部３を平面に展開した図である。図に示すように、上段布部２は、左右から中央部にかけて下方へ緩やかに突出する幅広部２１を有し、下段布部３は、左右から中央部にかけて上方へ緩やかに突出する幅広部３１を有している。図１および図２に示すように、上段布部２は、身生地１の内側で身生地１の上辺に沿って、幅広部２１を下方に突出する形で身生地１に重ね合わされて縫着される。また、下段布部３は、身生地１の内側で身生地１の下辺に沿って、幅広部３１を上方に突出する形で身生地１に重ね合わされて縫着される。そして、着用者の下腹部付近で、上段布部２の幅広部２１の一部と下段布部３の幅広部３１の一部とが互いに重なり合い、これらが身生地１と３層に重なって重複部６が形成される。更に、かかる重複部６の両端部から背中側にかけて、上段布部２と下段布部３との間隔が形成され、その結果、身生地１が上段布部２と下段布部３のいずれとも重なり合わずに身生地１のみで構成される非重複部７が形成される。なお、身生地１、上段布部２、下段布部３の重ね合わされる順番は、身生地１が着用時にもっとも外側になればよく、上段布部２および下段布部３の重複については、いずれが内側あるいは外側でも構わない。
【００１６】
上段布部２と下段布部３は、ともに身生地１よりも強い緊締力を有する生地により形成されており、具体的には、ナイロンなどにポリウレタン弾性繊維を交編して形成されるいわゆるパワーネット等を好適に使用することができる。上段布部２および下段布部３として使用されるパワーネットは、横方向にポリウレタン弾性繊維が編み込まれているため、特に横方向への緊締性が高く、骨盤を効果的に押さえることができる。
【００１７】
上述のとおり、身生地１は伸縮性を有する生地で形成し、上段布部２と下段布部３は身生地１よりも緊締力が強い生地で形成することにより、重複部６、非重複部７、およびそれ以外の部分で身生地１と上段布部２の下段布部３のいずれかが２層に重なっている部分とで、着圧が３段階に変化する。すなわち、重複部６において着圧が最も強く、次に身生地１と上段布部２の下段布部３のいずれかが２層に重なっている部分が中程度の着圧となり、そして、非重複部７において最も着圧が弱くなる。
【００１８】
本考案の骨盤押さえガードルは、着用した状態で重複部６が着用者の下腹部に位置するため、気になる下腹部分を引き締めて整容することができる。そして、上段布部２は下腹部より腰回りにかけて骨盤を上方から支持するように、また、下段布部３は下腹部より臀部上方にかけて骨盤を下方から支持するように位置するため、中程度の着圧が骨盤全体を包みこみように上下二段に働き、骨盤を押えることができ、腰回り、骨盤の矯正の効果を有する。さらに、身生地１のみからなる非重複部７が脇の一部及び背面に位置し、最も弱い着圧になるとともに、ベルト着圧の吸収孔となり、着用中のずれを防止できる。
【００１９】
本考案の骨盤押さえガードルは、一般的なガードルと同様に着用することができる。そして、上段布部２と下段布部３が身生地１の内側に縫着されているので、本考案の骨盤押さえガードルを履くだけで骨盤を効果的に押えることができ、フックの着脱などの煩わしい作業が不要である。
【符号の説明】
【００２０】
１……身生地
２……上段布部
３……下段布部
４……股下布部
５……ウエストゴム
６……重複部
７……非重複部
８……縫着部
２１……幅広部
３１……幅広部
【図１】
0003171820.tif 000003
【図２】
0003171820.tif 000004
【図３】
0003171820.tif 000005
【図４】
0003171820.tif 000006